(57)【要約】【課題】  構造物の出入口を開閉する防水装置において、落し込み式の防水扉を閉じ位置に落し込むと自動的に止水手段が作動して、この防水扉の左、右外枠および下外枠を水密にシールすることができ、外部からの浸水を確実に防ぐことができる。【解決手段】  防水扉Ｄは、その扉本体１０の左、右外枠１３，１４および下外枠１２にそれぞれ止水手段Ｓが設けられ、防水扉Ｄを出入口Ａに落し込むと、それらの止水手段Ｓの防水ゴム２０は、一斉に自動的に作動して扉本体１０の左、右外枠１３，１４および下外枠１２と、左、右溝形柱２，３および床レール１の内側面間を水密にシールする。【選択図】    図２
2008169561.tif 000002
【特許請求の範囲】
【請求項１】
構造物の出入口（Ａ）の床面を横切る方向に埋設されるピット状の床レール（１）と、出入口（Ａ）の左右両側に沿って床レール（１）上に立設される左右溝形柱（２，３）と、
左右溝形柱（２，３）の対向溝および床レール（１）の溝内に嵌合されて前記出入口（Ａ）を閉じる防水扉（Ｄ）とを備えた、落し込み式防水装置において、
前記防水扉（Ｄ）は、扉本体（１０）の左、右外枠（１３，１４）および下外枠（１２）にそれぞれ設けられる止水手段（Ｓ）と、それらの止水手段（Ｓ）を連動させてそれらを同時に作動させる連動機構（Ｃｌ，Ｃｒ）とを備え、
前記防水扉（Ｄ）の落し込みにより、前記出入口（Ａ）が閉じられたとき、これを感知して前記止水手段（Ｓ）を一斉に自動的に作動させ、扉本体（１０）の左、右外枠（１３，１４）および下外枠（１２）と、左、右溝形柱（２，３）および床レール（１）との間をそれぞれ水密にシールすることを特徴とする、落し込み式防水装置。
【請求項２】
前記止水手段（Ｓ）は、扉本体（１０）の左、右外枠（１３，１４）および下外枠（１２）にそれぞれ設けられる左、右押圧棒（２４（ｌ），２４（ｒ））および下押圧棒（２４（ｄ））と、各押圧棒（（２４（ｌ），２４（ｒ），２４（ｄ））と前記外枠（１２，１３，１４）との間をそれぞれ連結して各押圧棒の長手方向の移動に伴って左、右押圧棒（２４（ｌ），２４（ｒ））および下押圧棒（２４（ｄ））を左、右溝形柱（２，３）および前記床レール（１）の内側面に対して平行移動させるリンク機構（Ｌ）と、前記各押圧棒（２４（ｌ），２４（ｒ），（２４（ｄ））の長手方向の外側面にそれぞれ設けられる止水ゴム（２０）とを備え、
前記各押圧棒（（２４（ｌ），２４（ｒ），２４（ｄ））の平行移動に伴って前記止水ゴム（２０）を左、右溝形柱（２，３）および前記床レール（１）の内側面に圧接させるようにしたことを特徴とする、前記請求項１記載の落し込み式防水装置。
【請求項３】
前記連動機構（Ｃｆ，Ｃｒ）は、左、右外枠（１３，１４）にそれぞれ設けられる左部および右部押圧棒（２４（ｌ），２４（ｒ））の下端と、前記下外枠（１２）に設けられる下押圧棒（２４（ｄ））の端部との間にそれぞれ設けられる左部および右部カム機構（Ｃｌ，Ｃｒ）により構成され、それらのカム機構（Ｃｌ，Ｃｒ）は、左、右押圧棒および下押圧棒（２４（ｄ））を同時にそれらの長手方向に移動して左、右外枠（１３，１４）および下外枠（１２）にそれぞれ設けられる、前記止水手段（Ｓ）を同調作動させるようにしたことを特徴とする、前記請求項１または２記載の落し込み式防水装置。
【請求項４】
左、右押圧棒（２４（ｌ），２４（ｒ））の少なくとも一方の下端には、それぞれ下向きに一体にプランジャー（３５）が突設され、そのプランジャー（３５）は、前記防水扉（Ｄ）が床レール（１）上に落し込まれるときに、前記床レール（１）に設けられる扉受け部材（４）に当接することにより防水扉（Ｄ）の閉成を感知して左、右押圧棒（２４（ｌ），２４（ｒ））および下押圧棒（２４（ｄ））を作動し、左、右外枠（１３，１４）および下外枠（１２）にそれぞれ設けられる止水手段（Ｓ）を同時に自動的に作動できるようにしたことを特徴とする、前記請求項１，２または３記載の落し込み式防水装置。
【請求項５】
前記下外枠（１２）に設けられる下押圧棒（２４（ｄ））は、第１の押圧棒（２４（ｄ）−１  ）と、第２の押圧棒（２４（ｄ）−２）とに左右に分割されていて、第１の押圧棒（２４（ｄ）−１  ）は、左外枠（１３）に設けられる止水手段（Ｓ）の左押圧棒２４（ｌ）と連動し、また第２の押圧棒（２４（ｄ）−２）は、右外枠（１４）に設けられる止水手段（Ｓ）の右押圧棒（２４（ｒ））と連動してそれぞれ別々に作動するようにされていることを特徴とする、前記請求項１，２，３または４記載の落し込み式防水装置。
【請求項６】
前記扉本体（１０）は、少なくともその上、下外枠（１１，１２）および左、右外枠（１３，１４）が、アルミ合金材などの軽合金材の押出し材により形成されることを特徴とする、前記請求項１，２，３，４または５記載の落し込み式防水装置。
【発明の詳細な説明】
【技術分野】
【０００１】
本発明は、各種ビル、地下鉄、地下街、地下道、地下駐車場などの構造物において、その出入口から構造物内への水の流入を防止するための落し込み式防水装置に関する。
【背景技術】
【０００２】
近年、都市部などの一部地域における集中豪雨、洪水等に因り、ビル、地下鉄、地下街、地下道、地下駐車場などの構造物内にその出入口から水が急激に流入、浸水して多大の被害を及ぼすケースが問題となっている。
【０００３】
このような構造物の出入口からの水の急激な流入に対しては、土嚢の積み上げ等の対策では間に合わない場合が多く、そこで前記構造物の出入口に、その上方から防水扉を落し込んでその出入口を閉じ、その出入口の周縁と、防水扉の外端縁間を水密にシールするようにした、落し込み式防水装置が既に提案されている（たとえば、後記特許文献参照）。
【特許文献１】特許第３４５８０７７号公報
【発明の開示】
【発明が解決しようとする課題】
【０００４】
ところで、前記従来の落し込み式防水装置は、ビルなどの構造物の出入口の左右両側に対向して立設固定される溝形立柱と、その溝形立柱の溝内に左右両端部を挿入可能な防水板とを備え、防水板に設けた弾性止水ゴムを、床面および溝形立柱に圧接して出入口と防水板との間を水密にシールするようにされている。
【０００５】
ところが、前記従来の落し込み式防水装置は、防水板を溝形立柱に挿入して落し込み、出入口を閉じた後、操作者が防水板に設けた左右のクレセントを垂直方向から水平方向に回動して弾性止水ゴムを床面と左右の溝形立柱の内面に圧接させ止水操作を行うようにしており、防水板を落し込む操作と、その後の、少なくとも二回のクレセントの回動操作とを行う必要があるために、その操作が面倒であるばかりでなく、緊急の場合に、止水が間に合わなくなるという問題がある。
【０００６】
本発明は、かかる事情に鑑みてなされたもので、防水扉を左右の溝形柱に挿入して落し込む操作を行うだけで、自動的かつ迅速に防水扉の外枠を出入口の床レールおよび左右溝形柱に水密にシールできるようにした、新規な落し込み式防水装置防水装置を提供することを目的とする。
【課題を解決するための手段】
【０００７】
上記目的を達成するために請求項１の発明は、構造物の出入口の床面を横切る方向に埋設されるピット状の床レールと、出入口の左右両側に沿って床レール上に立設される左右溝形柱と、左右溝形柱の対向溝および床レールの溝内に嵌合されて前記出入口を閉じる防水扉とを備えた、落し込み式防水装置において、
前記防水扉は、扉本体の左、右外枠および下外枠にそれぞれ設けられる止水手段と、それらの止水手段を連動させてそれらを同時に作動させる連動機構とを備え、
前記防水扉の落し込みにより、前記出入口が閉じられたとき、これを感知して前記止水手段を一斉に自動的に作動させ、扉本体の左、右外枠および下外枠と、左、右溝形柱および床レールとの間をそれぞれ水密にシールすることを特徴としている。
【０００８】
上記目的を達成するために請求項２の発明は、前記請求項１記載のものにおいて、前記止水手段は、扉本体の左、右外枠および下外枠にそれぞれ設けられる左、右押圧棒および下押圧棒と、各押圧棒と前記外枠との間をそれぞれ連結して各押圧棒の長手方向の移動に伴って左、右押圧棒および下押圧棒を左、右溝形柱および前記床レールの内側面に対して平行移動させるリンク機構と、前記各押圧棒の長手方向の外側面にそれぞれ設けられる止水ゴムとを備え、前記各押圧棒の平行移動に伴って前記止水ゴムを左、右溝形柱および前記床レールの内側面に圧接させるようにしたことを特徴としている。
【０００９】
上記目的を達成するために請求項３の発明は、前記請求項１または２記載のものにおいて、前記連動機構は、左、右外枠にそれぞれ設けられる左部および右部押圧棒の下端と、前記下外枠に設けられる下押圧棒の端部との間にそれぞれ設けられる左部および右部カム機構により構成され、それらのカム機構は、左、右押圧棒および下押圧棒を同時にそれらの長手方向に移動して左、右外枠および下外枠にそれぞれ設けられる、前記止水手段を同調作動させるようにしたことを特徴としている。
【００１０】
上記目的を達成するために請求項４の発明は、前記請求項１，２または３記載のものにおいて、左、右押圧棒の少なくとも一方の下端には、それぞれ下向きに一体にプランジャーが突設され、そのプランジャーは、前記防水扉が床レール上に落し込まれるときに、前記床レールに設けられる扉受け部材に当接することにより防水扉の閉成を感知して左、右押圧棒および下押圧棒を作動し、左、右外枠および下外枠にそれぞれ設けられる止水手段を同時に自動的に作動できるようにしたことを特徴としている。
【００１１】
上記目的を達成するために請求項５の発明は、前記請求項１，２，３または４記載のものにおいて、前記下外枠に設けられる下押圧棒は、第１の押圧棒と、第２の押圧棒とに左右に分割されていて、第１の押圧棒は、左外枠に設けられる止水手段の左押圧棒と連動し、また第２の押圧棒は、右外枠に設けられる止水手段の右押圧棒と連動してそれぞれ別々に作動するようにされていることを特徴としている。
【００１２】
上記目的を達成するために請求項６の発明は、前記請求項１，２，３，４または５記載のものにおいて、前記扉本体は、少なくともその上、下外枠および左、右外枠が、アルミ合金材などの軽合金材の押出し材により形成されることを特徴としている。
【発明の効果】
【００１３】
前記請求項各項記載の発明によれば、落し込み式の防水扉を、左右溝形柱に挿入して落し込むと、自動的に止水手段が作動して、この防水扉の下外枠および左、右外枠を床レールおよび左、右溝形柱に水密のシールすることができ、外部からの浸水を確実に防ぐことができ、前記従来のもの（特許文献１のもの）のような、防水扉を落し込んでから別にクレセントを回動する操作が不要となり、その止水操作が容易であるばかりでなく、緊急時の止水措置を迅速、確実に行うことができる。
【００１４】
また、特に請求項５項記載の発明によれば、下外枠に設けられる下押圧棒は、第１の押圧棒と、第２の押圧棒とに左右に分割されていて、第１の押圧棒は、左外枠に設けられる止水手段の左押圧棒と連動し、また第２の押圧棒は、右外枠に設けられる止水手段の右押圧棒と連動してそれぞれ別々に作動するようにされているので、防水扉が大きい場合でも左、右外枠および下外枠に設けられる止水手段を確実かつ迅速に安定よく作動させることができる。
【００１５】
また、特に請求項６項記載の発明によれば、扉本体の少なくとも上、下外枠  および左、右外枠はいずれもアルミ合金の押出し材により形成されることにより、それらの製作が容易になり、さらに、それらへの止水手段の組み付け精度およびシール性を高めることができると共にその組付性を向上させることができる。
【発明を実施するための最良の形態】
【００１６】
本発明の実施の形態を、添付図面に例示した本発明の実施例に基づいて以下に具体的に説明する。
【００１７】
図１〜図１４は、本発明の一実施例を示すものであって、図１は、落し込み式防水装置の閉成状態を示す全体斜視図、図２は、図１の２線矢視拡大図、図３は、図２の３−３線に沿う拡大断面図、図４は、図２の４−４線に沿う拡大断面図、図５は、図４の５−５線に沿う拡大断面図、図６は、防水扉開状態の図４と同じ断面図、図７は、図６の７−７線に沿う拡大断面図、図８は、図２の８−８線に沿う拡大断面図、図９は、図２の９−９線に沿って示す作用図、図１０は、図２の１０−１０線に沿って示す作用図、図１１は、図１０の１１矢視の仮想線囲い部分の斜視図、図１２は、防水扉開状態の図９と同じ作用図、図１３は、防水扉開状態の図１０と同じ作用図、断面図、図１４は、図１３の１４矢視仮想線囲い部分の斜視図である。
【００１８】
図１において、構造物としての建物の壁Ｗには出入口Ａが設けられ、この出入口Ａには、本発明にかかる落し込み式防水装置が装備され、集中豪雨、洪水等の非常時に、この落し込み式防水装置を閉成状態とすることにより、外部から出入口Ａを通して建物内に水が流入するのを防止できるようになっており、また平時にはその落し込み式防水装置を開放状態とすることにより通常の出入口Ａとして利用される。
【００１９】
図１，２に示すように、落し込み式防水装置は、床レール１と、出入口Ａの左右両側に沿うように床レール上に立設される左、右溝形柱２，３と、それらの溝形柱２，３に挿入されて出入口Ａを閉じる防水扉Ｄと、その防水扉Ｄに装備される止水手段Ｓを備えている。床レール１は構造物Ｂである建物の前部を、出入口Ａの前面を横切って床面に埋設されて、断面ピット状に形成されている。床レール１内の底面は平坦であって、その底面の左右両端部には、ウレタンゴムなどの弾性体よりなるブロック状の扉受部材４がそれぞれ固定されており、これらの扉受部材４は、防水扉Ｄを閉成位置に規制保持すると共に後述するプランジャー３５と当接して、このプランジャー３５を作動するようにされている。
【００２０】
また、前記左、右溝形柱２，３は、それらの横断面が、内側すなわち互いに対向する側が開放された横断面コ字状に形成されており、これらの溝形柱２，３には、後述する防水扉Ｄが、それらの上方から挿入されてそれら間に落し込まれ、出入口Ａを閉じるようにされている。
【００２１】
つぎに、落し込み式の防水扉Ｄの構造を説明する。
【００２２】
この防水扉Ｄは、出入口Ａの横幅よりも若干幅広に形成されてその出入口Ａを全閉できる大きさを有しており、その主体部分を構成する扉本体１０は、アルミ合金の押出し材により横長の方形状に形成されており、その中空の内部は、補強材により補強されて軽量でかつ十分の強度を有する。扉本体１０の外縁は、同じくアルミ合金の押出し材よりなる上、下外枠１１，１２および左、右外枠１３，１４によって一体に縁取りされており、そのうち、下外枠１２および左、右外枠１３，１４には、本発明にかかる止水手段Ｓ（後に詳述する）が設けられている。
【００２３】
前記上外枠１１の左、右上面には、一対のハンドル１６が固定され、操作者はこのハンドル１６を把持して防水扉Ｄを携帯し、左、右溝形柱２，３の凹溝内に挿入して、出入口Ａに落し込み、またそこから取り外すことができる。
【００２４】
図２，３に示すように、床レール１内に嵌合される下外枠１２の内面（背面）と床レール１の内側面間には、床レール１に設けられる摺動材７が介在されており、この摺動材７は、扉本体１０の上下摺動を案内すると共に扉本体１０の横移動を抑止する。下外枠１２の下面は平坦面に形成されて左右の扉受部材４，４上に着座され、防水扉Ｄの閉成位置を規制する。
【００２５】
また、扉本体１０の下外枠１2 および左、右外枠１３，１４には、防水扉Ｄが閉じられたとき、それらと、出入口Ａの床レール１および左、右溝形柱２，３との間を自動的に水密にシールして、建物内への浸水を阻止するようにした止水手段Ｓがそれぞれ設けられている。
【００２６】
以下、図３〜７を参照して下外枠１２に設けられる止水手段Ｓを選択してその具体的な構造について説明する。
【００２７】
防水扉Ｄの下外枠１２の前側（屋外側）には、その全長にわたり、ウレタンゴムなどの弾性体よりなる止水ゴム２０が着脱可能に固定されている。この止水ゴム２０は、防水扉Ｄの左右方向に沿って帯状をなし、床レール１の内側面１ｉに対面するように所定の上下幅をもって断面板状に形成されている。止水ゴム２０の玉縁を有する下端２０ｄは下外枠１２に形成した長溝２１に抜け出すことがないように嵌挿され、また、止水ゴム２０の玉縁を有する上端２０ｕは、下外枠１２の下端前面と、そこにビス止め２２される止片２３間に着脱可能に固定されている。下外枠１２内には、断面四角な下部押圧棒２４（ｄ）がその長手方向に摺動可能で、その幅方向にも移動可能に収容されている。図４に示すように、下部押圧棒２４（ｄ）は、第１の押圧棒２４（ｄ）−１と第２の押圧棒２４（ｄ）−２とに間隙ｄをあけて左右に分割されていて、それぞれ別々にその長手方向および幅方向に移動するようにされている。また第１の押圧棒２４（ｄ）−１と第２の押圧棒２４（ｄ）−２の外側面は共に止水ゴム２０自体の弾発力で、その止水ゴム２０の背面に圧着されている。第１の押圧棒２４（ｄ）−１と第２の押圧棒２４（ｄ）−２には、それぞれその長手方向に間隔をあけて複数の切欠部２５が設けられ、各切欠部２５は、その下面および背面が開放されていて平面長方形に形成されている。また、下外枠１２内には、各切欠部２５に対応して複数のリンク機構Ｌが、その長手方向に間隔をあけて設けられている。各リンク機構Ｌは、下外枠１２に２本のボルト２７により固定されるホルダ２８と、このホルダ２８に縦軸２９をもって左右方向に揺動可能に軸支されるアーム３０と、ホルダ２８に固定されてアーム３０の起立位置を規制するストッパー部材３３とより構成されており、このアーム３０の先端部は、下外枠１２に設けた通し孔３１を貫通して前記第１、第２の下部押圧棒２４（ｄ）−１，２４（ｄ）−２の各切欠部２５に臨んでおり、そのアーム３０の先端は、第１、第２の下部押圧棒２４（ｄ）−１，２４（ｄ）−２に連結ピン３２をもって回動可能にピン連結されている。
【００２８】
第１の押圧棒２４（ｄ）−１と第２の押し圧棒２４（ｄ）−２は、左、右外枠１３，１４，１４に設けた止水手段Ｓとそれぞれ連動して作動されるようにされており、第１、第２の押圧棒２４（ｄ）−１，２４（ｄ）−２がそれぞれ軸方向（互いに接近する方向、図４矢印ａ方向）に移動すると、図４，５に示すように、各リンク機構Ｌのアーム３０は起立作動されて、第１の押圧棒２４（ｄ）−１および第２の押圧棒２４（ｄ）−２はそれぞれ外方（図４，５矢印ｂ方向、屋外側）に平行移動して止水ゴム２０は、図４，５に示すように、床レール１の内側面１ｉに圧接して、止水手段Ｓを作動状態とすることができる。
【００２９】
また、第１の押圧棒２４（ｄ）−１および第２の押圧棒２４（ｄ）−２のかかる軸方向の押圧力が解除されと、図６，７に示すように、止水ゴム２０の弾発力により、第１の押圧棒２４（ｄ）−１および第２の押圧棒２４（ｄ）−２は互いに離れる方向、すなわち間隙ｄが広がる方向（図６、矢印ａ′方向）に戻され（止水ゴム２０の弾発力による）、複数のリンク機構Ｌの各アーム３０は、ストッパー部材３３から離れて伏倒揺動され、下部押圧棒２４（ｄ）は内方（屋内側）に平行移動して止水ゴム２０は、図６，７に示すように、床レール１の内側面１ｉから後退（図６，７矢印ｂ′方向）して、そこから離間し止水手段Ｓの作動状態が解除される。
【００３０】
扉本体の１０前、後端面を縁取る左、右外枠１３，１４にも、前記下外枠１２に設けた止水手段Ｓと同じ構造の止水手段Ｓが設けられている（図８，９には、左外枠１３に設けた止水手段Ｓが示される）。すなわち、左、右外枠１３，１４内には、単一の前部および後部押圧棒２４（ｌ），２４（ｒ）（前記下部押圧棒（ｄ）のように２分割されていない）が、それらの長手方向に沿って上下方向、かつ幅方向に移動可能にそれぞれ設けられ、また左、右外枠１３，１４には、複数のリンク機構Ｌが上下方向に間隔をあけて設けられる。各リンク機構Ｌのアーム３０の先端は、前部押圧棒２４（ｌ）あるいは後部押圧棒２４（ｒ）にそれぞれピン連結される。それらの押圧棒２４（ｌ），２４（ｒ）の上方移動に伴う複数のアーム３０の起立揺動により、それらの押圧棒２４（ｌ），２４（ｒ）は外方に移動されて止水ゴム２０を作動位置に押し出す。左外枠１３の止水ゴム２０は前記左溝形柱２の内側面２ｉに圧接され、また右外枠１４の止水ゴム２０は前記右溝形柱３の内側面３ｉに圧接される。
【００３１】
図１１〜１４に示すように、前部および後部押圧棒２４（ｌ），２４（ｒ）の下端には、プランジャー３５が下向きに一体に固定されており、これらのプランジャー３５の下端は、通常は下外枠１２下面よりも下方に突出しており、これらのプランジャー３５は、前記左、右扉受け部材４に対向しており、後に述べるように、防水扉Ｄが出入口Ａに落し込まれると、プランジャー３５は、左、右扉受け部材４にそれぞれ当接し、前部および後部押圧棒２４（ｌ），２４（ｒ）をそれぞれ上方に移動させて、左、右外枠１３，１４に設けられる防水手段Ｓを作動するようにされている。
【００３２】
図１１，１４に示すように、左部押圧棒２４（ｌ）の下端と、下部押圧棒２４（ｄ）の第１の押圧棒２４（ｄ）−１の左端とは前部カム機構Ｃｌにより連動されており、左部押圧棒２４（ｌ）が上方に移動（プランジャー３５と扉受け部材４との当接により）するとき、前記前部カム機構Ｃｌの作動で、第１の押圧棒２４（ｄ）−１を作動し、また同じく右部押圧棒２４（ｒ）の下端と、下部押圧棒２４（ｄ）の第２の押圧棒２４（ｄ）−２の右端とは右部カム機構Ｃｒにより連動されており、右部押圧棒２４（ｒ）が上方に移動（プランジャー３５と扉受け部材４との当接により）するとき、前記右部カム機構Ｃｒの作動で、第２の押圧棒２４（ｄ）−２を作動するようにされており、したがって、左、右外枠１３，１４および下外枠１２に設けられる止水手段Ｓを同調して作動することができる。そして、左部カム機構Ｃｌおよび右部カム機構Ｃｒは、本発明にかかる連動機構を構成している。
【００３３】
図１１〜１４に示すように、左部カム機構Ｃｌは、左部押圧棒２４（ｌ）の下端に固定される第１カム４０と、第１の押圧棒２４（ｄ）−１の左端に固定される第２カム４３とよりなり、第１カム４０は、その下部に傾斜カム面４１を有する凹部４２が形成され、一方、第２カム４３は、その外端に傾斜カム面４４を有する凸部４５が形成されており、図１４に示すように、左部押圧棒２４（ｌ）のプランジャー３５が扉受け部材４に当たっていない状態（防水扉Ｄの開状態）では、左部押圧棒２４（ｌ）は下降しており、第１カム４０の凹部４２に第２カム４３の凸部４５が係合して下外枠１２の第１の押圧棒２４（ｄ）−１は外方（左方向）に位置している。また、右部カム機構Ｃｒも前記左部カム機構Ｃｌと同じ構造であって、右部押圧棒２４（ｌ）の下端に固定される第１カム４０と、第２の押圧棒２４（ｄ）−２の右端に固定される第２カム４３とよりなり、第１カム４０は、その下部に傾斜カム面４１を有する凹部４２が形成され、一方、第２カム４３は、その外端に傾斜カム面４４を有する凸部４５が形成されており、図１３に示すように、右部押圧棒２４（ｒ）の右プランジャー３５が扉受け部材４に当たっていない状態（防水扉Ｄの開状態）では、右部押圧棒２４（ｒ）は下降しており、第１カム４０の凹部４２に第２カム４３の凸部４５が係合して下外枠１２の第２の押圧棒２４（ｄ）−２は外方（右方向）に位置している。そして、防水扉Ｄが開状態にあるときは、左、右のプランジャー３５はいずれもフリー状態（下降状態）にあり、左、右外枠１３，１４および下外枠１２内の止水手段Ｓは、作動解除状態にある。
【００３４】
また、図１０に示すように、防水扉Ｄの閉状態では、左、右部押圧棒２４（ｌ），２４（ｒ）の左、右プランジャー３５が左、右の扉受部材４に当接され、左、右外枠１３，１４の左、右部押圧棒２４（ｌ），２４（ｒ）がいずれも上昇して、左、右部カム機構Ｃｌ，Ｃｒを介して下外枠の第１，第２の押圧棒２４（ｄ）−１，２４（ｄ）−２を互いに近づく方向に移動させ、前述のように、左、右外枠１３，１４および下外枠１２に設けられる止水手段Ｓを一斉に作動させる。
【００３５】
つぎに、本発明の前記実施例の作用について説明する。
【００３６】
図１鎖線に示すように、平時において、防水扉Ｄは、出入口Ａから外されて、倉庫などの収納場所に格納され、出入口Ａは開放されている。
【００３７】
集中豪雨、洪水などにより、建物の出入口Ａへ多量の水が急激に浸入する虞れがある非常時には、落し込み式の防水扉Ｄを格納場所から持ち出して、操作者がハンドル１６を把持して防水扉Ｄの左、右外枠１３，１４を左、右溝形柱２，３の対向溝内に挿入して、この防水扉Ｄを出入口Ａに落し込む。これにより、防水扉Ｄは出入口Ａの下部領域を閉じる（図１参照）。
【００３８】
防水扉Ｄが出入口Ａの下部領域を閉じると、この防水扉Ｄの下外枠１２は、ピット状の床レール１内に嵌合され、その下面は左、右の扉受部材４上に着座されて防水扉Ｄはその自重で閉成位置に規制保持される。
【００３９】
ところで、図９，１０に示すように、防水扉Ｄが閉じ位置にくると、左、右部押圧棒２４（ｌ），２４（ｒ）下端の左右のプランジャー３５が、左右の扉受部材４にそれぞれ当接するに至り、それらの押圧棒２４（ｌ），２４（ｒ）は、共に押し上げられて上方に移動される同時に前記左部および右部カム機構Ｃｌ，Ｃｒを介して下外枠１２に設けた第１の押圧棒２４（ｄ）−１および第２の押圧棒２４（ｄ）−２を互いに接近方向（第１の押圧棒２４（ｄ）−１は右方向、第２の押圧棒２４（ｄ）−２は左方向）に強制的に移動される。これにより、左外枠１３、右外枠１４および下外枠１２にそれぞれ設けられる止水手段Ｓの各複数のリンク機構Ｌのアーム３０が一斉に起立回動し、これにより、各押圧棒２４（ｌ），２４（ｒ）および２４（ｄ）−１，２４（ｄ）−２は、外方側（屋外側）に平行移動されて、止水ゴム２０が押し出される。左外枠１３の止水ゴム２０は、左溝形柱２の内側面２ｉに、右外枠１４の止水ゴム２０は右溝形柱３の内側面３ｉに、下外枠１２の止水ゴム２０は床レール１の内側面１ｉに、それぞれ水密に圧接され、外部から出入口Ａへの浸水を確実に防止することができる。また、このとき、左、右溝形柱２，３および床レール１の内側面にそれぞれ設けた摺動材７は、前記止水手段Ｓの作動により押し出された止水ゴム２０が、左、右溝形柱２，３および床レール１の内側面に圧接したときの圧接力の反力で防水扉Ｄが内側（屋内側）へ横移動するのが防止される。
【００４０】
なお、防水扉Ｄは、その自重により閉じ位置に固定保持されるが、この防水扉Ｄと、床レール１との間に従来公知のスナッチロックなどのロック手段を設けることにより、防水扉Ｄを閉じ位置に積極的にロックするようにしてもよい。
【００４１】
以上のように、この実施例によれば、落し込み式の防水扉Ｄを閉じ位置に保持すると、左、右外枠１３，１４および下外枠１２にそれぞれ設けた止水手段Ｓが自動的に作動して、この防水扉Ｄの左、右外枠１３，１４および下外枠１２と、左、右溝形柱２，３および床レール１間を水密のシールすることができ、外部からの浸水を確実に防ぐことができる。
【００４２】
また、下外枠１２に設けられる下押圧棒２４（ｄ）は、第１の押圧棒２４（ｄ）−１と、第２の押圧棒２４（ｄ）−２とに左右に分割されていて、第１の押圧棒２４（ｄ）−１は、左外枠１３に設けられる止水手段Ｓの左押圧棒２４（ｌ）と連動し、また第２の押圧棒２４（ｄ）−２は、右外枠１４に設けられる止水手段Ｓの右押圧棒２４（ｒ）と連動してそれぞれ別々に作動するようにされているので、防水扉Ｄが大きい場合でも左、右外枠１３，１４および下外枠１２に設けられる止水手段Ｓを確実かつ迅速に安定よく作動させることができる。
【００４３】
また扉本体１０およびその外縁を縁取る上、下外枠１１，１２および左、右外枠１３，１４はいずれもアルミ合金の押出し材により形成されることにより、それらの製作が容易になり、さらに、それらへの止水手段の組み付け精度およびシール性を高めることができると共にその組付性を向上させることができる。
【００４４】
以上、本発明の実施例について説明したが、本発明はその実施例に限定されることなく、本発明の範囲内で種々の実施例が可能である。たとえば、前記実施例では、構造物として建物を示したが、本発明は、その他の構造物、たとえば、地下街、地下道、地下駐車場などの出入口にも実施可能である。また、前記実施例では、下外枠に設けた下部押圧棒を、第１、第２の押圧棒に２分割しているが、これを単一の下部押圧棒としてもよく、この場合プランジャーは、左、右分押圧棒のいずれか一方に設ければよい。さらに、前記実施例では、扉本体およびその外縁を縁取る外枠をアルミ合金の押出し材により形成した場合を説明したが、扉本体の主体部分を板材の折り曲げ加工などにより箱状に形成し、その外縁を縁取る外枠をアルミ合金の押出し材で形成してもよい。
【図面の簡単な説明】
【００４５】
【図１】落し込み式防水装置の閉成状態を示す全体斜視図
【図２】図１の２線矢視拡大図
【図３】図２の３−３線に沿う拡大断面図
【図４】図２の４−４線に沿う拡大断面図
【図５】図４の５−５線に沿う拡大断面図
【図６】防水扉開状態の図４と同じ断面図
【図７】図６の７−７線に沿う拡大断面図
【図８】図２の８−８線に沿う拡大断面図
【図９】図２の９−９線に沿って示す作用図
【図１０】図２の１０−１０線に沿って示す作用図
【図１１】図１０の１１矢視の仮想線囲い部分の斜視図
【図１２】防水扉開状態の図９と同じ作用図
【図１３】防水扉開状態の図１０と同じ作用図
【図１４】図１３の１４矢視仮想線囲い部分の斜視図
【符号の説明】
【００４６】
１・・・・・床レール
２・・・・・左溝形柱
３・・・・・・・右溝形柱
４・・・・・・・扉受部材
１０・・・・・・・扉本体
１１・・・・・・・上外枠
１２・・・・・・・下外枠
１３・・・・・・・左外枠
１４・・・・・・・右外枠
２０・・・・・・・防水ゴム
２４（ｌ）・・・・左部押圧棒
２４（ｒ）・・・・右部押圧棒
２４（ｄ）・・・・下部押圧棒
２４（ｄ−１）・・第１の押圧棒
２４（ｄ−２）・・第２の押圧棒
３５・・・・・・・プランジャー
Ａ・・・・・・・出入口
Ｃｌ・・・・・・左部カム機構（連動機構）
Ｃｒ・・・・・・右部カム機構（連動機構）
Ｄ・・・・・・・防水扉
Ｌ・・・・・・・リンク機構
Ｓ・・・・・・・止水手段
【図１】
2008169561.tif 000003
【図２】
2008169561.tif 000004
【図３】
2008169561.tif 000005
【図４】
2008169561.tif 000006
【図５】
2008169561.tif 000007
【図６】
2008169561.tif 000008
【図７】
2008169561.tif 000009
【図８】
2008169561.tif 000010
【図９】
2008169561.tif 000011
【図１０】
2008169561.tif 000012
【図１１】
2008169561.tif 000013
【図１２】
2008169561.tif 000014
【図１３】
2008169561.tif 000015
【図１４】
2008169561.tif 000016